(57)【要約】      （修正有）【課題】面倒な準備的動作が不要で使用性に優れた複数段型コンパクトを提供する。【解決手段】化粧料１０が収容された収容部１１を有する本体１と、この本体１によって収容部１１の下層位置で引き出し可能に支持され、塗布具２０が収容され、収容部１１の下段位置に位置したときに本体１に対し嵌合される引き出し２と、本体１に対し軸線を中心として回転可能に連結され、開閉可能とされた蓋体３とを備えた複数段型コンパクトであって、蓋体３を開けるとき、軸線を中心として回転する蓋体３によって引き出し２の後部が押し出されることで本体１に対する嵌合が解除されるものである。【選択図】図５
0003115036.tif 000002
【実用新案登録請求の範囲】
【請求項１】
化粧料が収容された収容部を有する本体と、
この本体によって前記収容部の下層位置で引き出し可能に支持され、塗布具が収容され、該収容部の下段位置に位置したときに該本体に対し嵌合される引き出しと、
前記本体に対し軸線を中心として回転可能に連結され、開閉可能とされた蓋体とを備えた複数段型コンパクトであって、
前記蓋体を開けるとき、軸線を中心として回転する該蓋体によって前記引き出しの後部が押し出されることで前記本体に対する嵌合が解除されることを特徴とする複数段型コンパクト。
【請求項２】
前記蓋体は、前記本体に対し軸線を中心として回転可能に連結されたアーム部と、このアーム部から該アーム部の片側に向けて延出され、開閉可能とされた被覆部とからなり、
前記被覆部を開けるとき、軸線を中心として回転する前記アーム部によって前記引き出しの後部が押し出されることを特徴とする請求項１に記載の複数段型コンパクト。
【請求項３】
前記蓋体は、前記本体に対しピンを介して回転可能に連結されていることを特徴とする請求項１又は２に記載の複数段型コンパクト。
【考案の詳細な説明】
【技術分野】
【０００１】
本考案は、おしろい、ファンデーション、ほお紅、アイシャドウ等の化粧料が装填された複数段型コンパクトに関する。
【背景技術】
【０００２】
従来の複数段型コンパクトとしては、例えば塗布具が収容された塗布具収容部を有する本体と、塗布具収容部の上段に位置し上側に向けて開口され化粧料が分け取り可能に収容された化粧料収容部の反開放側縁部と蓋部の下端部とをヒンジ用の可曲薄肉部を介して一体成形した蓋体とを備えたものものが開示されている（例えば、特許文献１参照）。
【特許文献１】特開平９−７５１２９号公報
【考案の開示】
【考案が解決しようとする課題】
【０００３】
しかしながら、このような複数段型コンパクトを用いて化粧をするに当たっては、先ず、化粧料収容部及び蓋部、つまり、蓋体全体を開けて塗布具を本体外に取り出した上で、蓋体を閉めてさらに蓋体を閉めた状態から蓋部を開けて化粧料収容部を開放することにより化粧料の分け取りを可能とするという、蓋体等の開け閉めの繰り返しを伴う面倒な準備的動作が必要である。
【０００４】
特に、塗布具を本体外に取り出した後、取り出した塗布具を置いておくことができず、片手がふさがってしまう場合には、かかる準備的動作は、相当に困難となり化粧品としての使用性を損なう要因となり得る。
【０００５】
そこで、本考案の課題は、面倒な準備的動作が不要で使用性に優れた複数段型コンパクトを提供することにある。
【課題を解決するための手段】
【０００６】
上記課題を解決するため、本考案に係る複数段型コンパクトは、化粧料が収容された収容部を有する本体と、この本体によって収容部の下層位置で引き出し可能に支持され、塗布具が収容され、収容部の下段位置に位置したときに本体に対し嵌合される引き出しと、本体に対し軸線を中心として回転可能に連結され、開閉可能とされた蓋体とを備えた複数段型コンパクトであって、蓋体を開けるとき、軸線を中心として回転する蓋体によって引き出しの後部が押し出されることで本体に対する嵌合が解除されることを特徴としている。
【０００７】
ここで、軸線とは、本体の収容部の上面の開閉を蓋体の回転動作たる起伏動作によって行う構成において、当該蓋体の回転動作の中心となる仮想線を意味する。
【０００８】
このような複数段型コンパクトにおいては、蓋体を開ける動作に連動して本体に対する嵌合が解除される引き出しを備え、この引き出し内に塗布具を収容することとしている。
【０００９】
それゆえ、これによれば、使用者が一度だけ蓋体を開けることにより、収容された化粧料が容易に分け取り得る状態におかれることが可能となるのみならず、収容された塗布具もが容易に使用し得る状態におかれることが可能となる。
【００１０】
したがって、これによれば、蓋体の開け閉めの繰り返しを伴う面倒な準備的動作が不要となり、ひいては優れた使用性を発揮させることが可能となる。
【００１１】
このような技術的手段において、本体に対する引き出しの嵌合がより小さな力で解除され得るようにして、より優れた使用性を担保しようとする観点からすれば、蓋体は、本体に対し軸線を中心として回転可能に連結されたアーム部と、このアーム部からアーム部の片側に向けて延出され、開閉可能とされた被覆部とからなり、被覆部を開けるとき、軸線を中心として回転するアーム部によって引き出しの後部が押し出されることが好ましい。
【００１２】
また、蓋体の開閉動作がより円滑かつ確実に行われるようにして、より優れた使用性を担保しようとする観点からすれば、蓋体は、本体に対しピンを介して回転可能に連結されていることが好ましい。
【考案の効果】
【００１３】
本考案に係る複数段型コンパクトによれば、蓋体を開ける動作に連動して本体に対する嵌合が解除される引き出しを備えるので、面倒な準備的動作が不要となり優れた使用性が得られることとなる。
【考案を実施するための最良の形態】
【００１４】
以下、添付図面に基づいて本考案の実施の形態を詳細に説明する。
【００１５】
図１は本考案の一実施の形態に係る複数段型コンパクトの全体構成を示す斜視図（引き出しを閉めた時）、図２は同複数段型コンパクトの全体構成を示す斜視図（引き出しを開けた時）、図３は同複数段型コンパクトの部分構成を示す縦断面図、図４は同複数段型コンパクトの部分構成を示す横断面図、図５は同複数段型コンパクトの作用を説明する縦断面図、図６は同複数段型コンパクトの外観構成を示す斜視図、図７は同複数段型コンパクトの外観構成を示す底面図、図８は同複数段型コンパクトの外観構成を示す正面図、図９は同複数段型コンパクトの外観構成を示す背面図である。
【００１６】
本実施の形態において、複数段型コンパクトは、ファンデーションが装填されたものであり、図１、図２及び図６に示すように、本体１と、引き出し２と、蓋体３とを備えたものとして構成されている。
【００１７】
以下、これらの各構成要素についてさらに詳細に説明する。
【００１８】
（１）本体１
本体１は、合成樹脂により一体に成形されたものとして構成されている（図３、図４及び図５参照）。
【００１９】
本体１は、図３、図４及び図５に示すように、上側に向けて開口する収容部たる凹部１１と、下側に向けて開口し後述する引き出し２を収容するための収容部１２とを有するものとして構成されている。
【００２０】
図１〜図５に示すように、凹部１１には、ファンデーション１０が、中皿１０ａに充填され、かつ、上側に向けて露出し得る状態で収容されている。
【００２１】
これらの図に示すように、このような本体１に対しては、蓋体３が軸線を中心として回転可能に連結されており、この蓋体３によって凹部１１の上面を開閉することが可能となっている。
【００２２】
（２）引き出し２
引き出し２は、合成樹脂により一体に成形されたものとして構成されている（図３、図４及び図５参照）。
【００２３】
引き出し２は、図１〜図５に示すように、本体１によって凹部１１の下層位置で引き出し可能に支持されたものとして構成されている。
【００２４】
図４、図５及び図７に示すように、収容部１２には、引き出し２を両側から支持するための一対の支持部１２ａが引き出し２の移動方向に沿ってそれぞれ形成されている。また、図４、図２及び図７に示すように、引き出し２の両側部には、これらの支持部１２ａによって支持されるための被支持部２１が長さ方向に沿ってそれぞれ形成されている。すなわち、引き出し２は、図４、図２、図５及び図７に示すように、被支持部２１が本体１の支持部１２ａに移動可能に嵌ることによって支持されており、これにより、引き出し２の全体が本体１内に収容される位置（図５（ａ）に示す位置、以下同じ）と、引き出し２の大部分が本体１外に引き出される位置（図５（ｃ）に示す位置、以下同じ）との間を本体１の平面方向に沿ってスライド移動することが可能となっている。
【００２５】
そして、引き出し２は、図７に示すように、凹部１１の下段位置に位置したとき、つまり、引き出し２の全体が本体１内に収容される位置に位置したときに本体１に対し嵌合されるものとして構成されている。
【００２６】
同図に示すように、本体１の支持部１２ａには、引き出し２側に突出し、かつ、本体１及び引き出し２を互いに嵌合させるための本体側凸部２２がそれぞれ形成されている。また、同図に示すように、引き出し２の被支持部２１には、本体１側に突出し、かつ、本体１及び引き出し２を互いに嵌合させるための第一の引き出し側凸部２３がそれぞれ形成されている。すなわち、本体１及び引き出し２は、引き出し２の全体が本体１内に収容される位置に位置したとき、第一の引き出し側凸部２３が本体側凸部２２を乗りこえることによって引き出し２が本体１に押し付けられ、これにより互いに嵌合するようになっている。
【００２７】
なお、同図に示すように、引き出し２の被支持部２１には、第一の引き出し側凸部２３とは別の凸部、つまり、本体１側に突出する第二の引き出し側凸部２４がそれぞれ形成されている。すなわち、引き出し２は、引き出し２の大部分が本体１外に引き出される位置に位置したとき、第二の引き出し側凸部が本体側凸部２２に当接することによって、引き出し２の全体が本体１外に引き出されないようにすることが可能となっている。
【００２８】
一方、図３〜図５に示すように、このような引き出し２内には、塗布具たるパフ２０が収容されている。そして、引き出し２は、本体１から引き出されることにより上側に向けて開口する開口を確保することが可能となっており、引き出し２の大部分が本体１外に引き出される位置においては、使用者がパフ２０を容易に取り出すことを可能とする広さの開口を確保することが可能となっている（図５（ｃ）参照）。
【００２９】
すなわち、このような引き出し２により、使用者は、パフ２０を容易に取り出し得る位置、つまり、引き出し２の大部分が本体１外に引き出される位置まで引き出し２を引き出した状態のまま本実施の形態に係る複数段型コンパクトを一方の手のひらの上に載置することが可能となっており、これにより、あいている他方の手で適宜パフ２０を使って中皿１０ａ内のファンデーション１０を分け取りつつ化粧をすることが可能となっている。
【００３０】
（３）蓋体３
蓋体３は、図３、図５、図７及び図９に示すように、本体１に対し軸線を中心として回転可能に連結されたものとして構成されており、本体１の凹部１１の上面を開閉する役割を果たす（図１及び図２参照）。
【００３１】
具体的には、蓋体３は、これらの図に示すように、本体１に対しピン３１を介して回転可能に連結されたものとして構成されている。
【００３２】
なお、図１〜図５に示すように、蓋体３の内側面には、枠部３２ａが形成されており、この枠部３２ａ内に接着剤を介して鏡３２が固定されている。また、図１〜図３、図５〜図８に示すように、本体１及び蓋体３には、蓋体３が凹部１１の上面を閉じたときに、本体１及び蓋体３を互いに嵌合させるための本体側嵌合手段１３及び蓋体側嵌合手段３３がそれぞれ設けられている。
【００３３】
このように、蓋体３に、本体１に対し軸線を中心として回転可能に連結されたものであることを要求するのは、蓋体３の回転動作に伴い引き出し２の後部を押し出し得る構成を具現化することにより、本体１に対する引き出し２の嵌合の解除を蓋体３を開ける使用者の動作に連動させて行うことが可能な複数段型コンパクトとするためである。したがって、このような役割を果たすものであれば、本考案において本体１に対しピン３１を介して回転可能に連結された蓋体３の代わりに、ピンを介さないで合成樹脂により成形された凹部及び凸部を介して本体に対し回転可能に連結された蓋体その他の蓋体を用いることが可能である。
【００３４】
ただし、本実施の形態のような本体に対しピンを介して回転可能に連結された蓋体を採用することとした場合には、本体に対しピンを介さないで回転可能に連結された蓋体を採用することとした場合に比して、蓋体の開閉動作をより円滑かつ確実に行うことが可能となっており、その結果、より優れた使用性を担保することが可能となる。
【００３５】
具体的には、蓋体３は、図３、図５及び図９に示すように、本体１に対し軸線を中心として回転可能に連結されたアーム部３ａと、このアーム部３ａからアーム部３ａの片側に向けて延出され、凹部１１の上面を開閉可能とされた被覆部３ｂとから構成されている。
【００３６】
すなわち、図５（ａ）〜図５（ｃ）に示すように、このような蓋体３、つまり、被覆部３ｂを開けるとき、軸線を中心として回転する蓋体３、つまり、アーム部３ａによって引き出し２の後部が押し出されるように構成されており、これにより本体１に対する引き出し２の嵌合が解除されるようになっている。
【００３７】
このように、蓋体３に、回転動作に伴い引き出し２の後部を押し出し得るものであることを要求するのは、本体１に対する引き出し２の嵌合の解除を蓋体３を開ける使用者の動作に連動させて行うことにより、蓋体３の開け閉めの繰り返しを伴う面倒な準備的動作を行うことが不要な複数段型コンパクトとするためである。したがって、このような役割を果たすものであれば、本考案において本体１に対する引き出し２の嵌合を解除する役割を果たすアーム部３ａを有する蓋体３の代わりに、そのようなアーム部を有しない蓋体その他の蓋体を用いても差し支えない。
【００３８】
ただし、本実施の形態のようなアーム部を有する蓋体のアーム部によって本体に対する引き出しの嵌合を解除することとした場合には、アーム部を有しない蓋体それ自体によって本体に対する引き出しの嵌合を解除することとした場合に比して、本体に対する引き出しの嵌合をより小さな力で解除することが可能となっており、その結果、より優れた使用性を担保することが可能となる。
【００３９】
以上説明したように、本実施の形態における複数段型コンパクトによれば、蓋体３を開ける動作に連動して本体１に対する嵌合が解除される引き出し２を備えており、この引き出し２内にパフ２０を収容しているので、使用者が一度だけ蓋体３を開けることにより、収容されたファンデーション１０を容易に分け取り得る状態におくことが可能となっているのみならず、収容されたパフ２０をも容易に使用し得る状態におくことが可能となっている。
【００４０】
したがって、このような複数段型コンパクトによれば、蓋体３の開け閉めの繰り返しを伴う面倒な準備的動作が不要となっており、ひいては優れた使用性を発揮させることが可能となっている。
【００４１】
以上、本考案に係る複数段型コンパクトの一実施の形態として、ファンデーションが装填されたものについて説明したが、本考案はこのような実施の形態に限定されるものではない。例えば、ファンデーション以外のおしろい、ほお紅、アイシャドウ等の化粧料が装填されたものに適用してもよい。また、本体や引き出しについても、形状や材質の別を問わないし、また、一体に成形されたものに限定されず、複数の部材から構成されるものあっても差し支えない。
【図面の簡単な説明】
【００４２】
【図１】本考案の一実施の形態に係る複数段型コンパクトの全体構成を示す斜視図（引き出しを閉めた時）である。
【図３】同複数段型コンパクトの全体構成を示す斜視図（引き出しを開けた時）である。
【図４】同複数段型コンパクトの部分構成を示す縦断面図である。
【図２】同複数段型コンパクトの部分構成を示す横断面図である。
【図５】同複数段型コンパクトの作用を説明する縦断面図である。
【図６】同複数段型コンパクトの外観構成を示す斜視図である。
【図７】同複数段型コンパクトの外観構成を示す底面図である。
【図８】同複数段型コンパクトの外観構成を示す正面図である。
【図９】同複数段型コンパクトの外観構成を示す背面図である。
【符号の説明】
【００４３】
１ 本体
２ 引き出し
３ 蓋体
３ａ アーム部
３ｂ 被覆部
１０ 化粧料
１０ａ 中皿
１１ 凹部
１２ 収容部
１２ａ 支持部
１３ 本体側嵌合手段
２０ パフ
２１ 被支持部
２２ 本体側凸部
２３ 第一の引き出し側凸部
２４ 第二の引き出し側凸部
３１ ピン
３２ 鏡
３２ａ 枠部
３３ 蓋体側嵌合手段
【図１】
0003115036.tif 000003
【図２】
0003115036.tif 000004
【図３】
0003115036.tif 000005
【図４】
0003115036.tif 000006
【図５】
0003115036.tif 000007
【図６】
0003115036.tif 000008
【図７】
0003115036.tif 000009
【図８】
0003115036.tif 000010
【図９】
0003115036.tif 000011